(57)【要約】  挿入機器用洗浄具は、細長な挿入機器の先端部に対して着脱自在に構成された洗浄キャップと、洗浄用の流体が注入される注入口、注入口から注入された流体が流通する流路を複数の流路に分岐させる分岐部、及び、分岐部を経て複数の流路に流通する流体を洗浄キャップにおいて排出するための複数の排出口を備えた一つのまたは複数の流体供給用管路と、を有し、複数の排出口は、洗浄キャップが挿入機器の先端部に対して装着された際に、流体の排出方向が互いにねじれの位置になるような位置関係を有する状態で配置される。
2019150600.tif 000002
【特許請求の範囲】
【請求項１】
細長な挿入機器の先端部を洗浄用の流体により洗浄する際に用いられる挿入機器用洗浄具であって、
前記挿入機器の先端部に対して着脱自在に構成された洗浄キャップと、
前記流体が注入される注入口、前記注入口から注入された前記流体が流通する流路を複数の流路に分岐させる分岐部、及び、前記分岐部を経て前記複数の流路に流通する前記流体を前記洗浄キャップにおいて排出するための複数の排出口を備えた一つのまたは複数の流体供給用管路と、を有し、
前記複数の排出口は、前記洗浄キャップが前記挿入機器の先端部に対して装着された際に、前記流体の排出方向が互いにねじれの位置になるような位置関係を有する状態で配置されることを特徴とする挿入機器用洗浄具。
【請求項２】
前記洗浄キャップは、前記挿入機器の先端部を収容可能な内部空間を形成する複数のキャップ部品を有して構成される請求項１に記載の挿入機器用洗浄具。
【請求項３】
前記複数のキャップ部品は互いに着脱可能である請求項２に記載の挿入機器用洗浄具。
【請求項４】
前記一つの流体供給用管路における前記複数の排出口が、前記複数のキャップ部品の少なくとも一つに一つずつ設けられる請求項２に記載の挿入機器用洗浄具。
【請求項５】
前記複数の流体供給用管路の各々における少なくとも一部が共通部品により構成される請求項１に記載の挿入機器用洗浄具。
【請求項６】
前記複数の排出口は、前記洗浄キャップが前記挿入機器の先端部に対して装着された際に、前記挿入機器の長手軸周りに配置される請求項１に記載の挿入機器用洗浄具。
【請求項７】
前記一つの流体供給用管路における前記分岐部から前記複数の排出口に至る複数の流路が略同等の容積を有している請求項１に記載の挿入機器用洗浄具。
【請求項８】
細長な挿入機器の先端部を洗浄用の流体により洗浄する際に用いられる挿入機器用洗浄具であって、
前記流体が注入される第１の注入口、前記第１の注入口から注入された前記流体が流通する流路を二つに分岐させる第１の分岐部、並びに、前記第１の分岐部を経た前記流体を排出するための第１の排出口及び第２の排出口を有する第１の流体供給用管路と、
前記流体が注入される第２の注入口、前記第２の注入口から注入された前記流体が流通する流路を二つに分岐させる第２の分岐部、並びに、前記第２の分岐部を経た前記流体を排出するための第３の排出口及び第４の排出口を有する第２の流体供給用管路と、
前記挿入機器の先端部に対して着脱自在であるとともに、前記第１の排出口及び前記第４の排出口を設けて構成された第１のキャップ部品と、
前記挿入機器の先端部に対して着脱自在であるとともに、前記第２の排出口及び前記第３の排出口を設けて構成された第２のキャップ部品と、
を有することを特徴とする挿入機器用洗浄具。
【請求項９】
前記第１の排出口及び前記第２の排出口は、前記第１のキャップ部品及び前記第２のキャップ部品が前記挿入機器の先端部に対して装着された際に、前記流体の排出方向が互いにねじれの位置になるようなまたは互いに交差するような位置関係を有する状態で配置される請求項８に記載の挿入機器用洗浄具。
【請求項１０】
前記第３の排出口及び前記第４の排出口は、前記第１のキャップ部品及び前記第２のキャップ部品が前記挿入機器の先端部に対して装着された際に、前記流体の排出方向が互いにねじれの位置になるようなまたは互いに交差するような位置関係を有する状態で配置される請求項８に記載の挿入機器用洗浄具。
【請求項１１】
前記第１のキャップ部品及び前記第２のキャップ部品は、前記挿入機器の先端部を収容可能な内部空間を形成するように構成される請求項８に記載の挿入機器用洗浄具。
【請求項１２】
前記第１の排出口及び前記第３の排出口は、前記第１のキャップ部品及び前記第２のキャップ部品が前記挿入機器の先端部に対して装着された際に、前記流体の排出方向が互いに平行になるようなまたは同軸上に位置するような位置関係を有する状態で配置される請求項８に記載の挿入機器用洗浄具。
【請求項１３】
前記第２の排出口及び前記第４の排出口は、前記第１のキャップ部品及び前記第２のキャップ部品が前記挿入機器の先端部に対して装着された際に、前記流体の排出方向が互いに平行になるようなまたは同軸上に位置するような位置関係を有する状態で配置される請求項８に記載の挿入機器用洗浄具。
【請求項１４】
前記第１の流体供給用管路及び前記第２の流体供給用管路の各々における少なくとも一部が共通部品により構成される請求項８に記載の挿入機器用洗浄具。
【請求項１５】
前記第１の流体供給用管路において、前記第１の分岐部から前記第１の排出口に至る流路と、前記第１の分岐部から前記第２の排出口に至る流路と、が略同等の容積を有している請求項８に記載の挿入機器用洗浄具。
【請求項１６】
前記第２の流体供給用管路において、前記第２の分岐部から前記第３の排出口に至る流路と、前記第２の分岐部から前記第４の排出口に至る流路と、が略同等の容積を有している請求項８に記載の挿入機器用洗浄具。
【請求項１７】
前記第１のキャップ部品と第２のキャップ部品は、互いに着脱可能である請求項８に記載の挿入機器用洗浄具。
【請求項１８】
前記第１の排出口乃至第４の排出口は、前記第１のキャップ部品及び前記第２のキャップ部品が前記挿入機器の先端部に対して装着された際に、前記挿入機器の長手軸周りに配置される請求項８に記載の挿入機器用洗浄具。
【発明の詳細な説明】
【技術分野】
【０００１】
本発明は、挿入機器用洗浄具に関し、特に、細長な挿入機器の先端部を洗浄する際に用いられる挿入機器用洗浄具に関するものである。
【背景技術】
【０００２】
医療分野においては、例えば、内視鏡等のような、被検体内に挿入した状態で当該被検体内の所望の部位に対して手術を施すための細長な挿入機器が従来用いられている。【０００３】
また、前述の挿入機器のうちの再利用可能なものについては、一般的に、薬液及び水等のような洗浄用の流体を用いた洗浄処理が施される。そして、例えば、国際公開第２０１６／０５９９２０号には、前述の挿入機器の先端部の洗浄に利用可能な洗浄具が開示されている。【０００４】
具体的には、国際公開第２０１６／０５９９２０号には、内視鏡の先端構成部の洗浄に用いられる洗浄具であって、送液機構から送液された流体を互いに異なる方向に噴出する複数の洗浄口と、当該複数の洗浄口から噴出された流体が当該先端構成部に設けられた開口部内の洗浄対象部位に対して直接的に衝突するように、当該先端構成部を位置決めする移動規制部と、当該移動規制部により当該先端構成部が位置決めされた状態を保持するための保持部と、を有する構成が開示されている。【０００５】
本発明は、細長な挿入機器の先端部を効率的に洗浄可能な挿入機器用洗浄具を提供することを目的としている。
【発明の開示】
【課題を解決するための手段】
【０００６】
本発明の一態様の挿入機器用洗浄具は、細長な挿入機器の先端部を洗浄用の流体により洗浄する際に用いられる挿入機器用洗浄具であって、前記挿入機器の先端部に対して着脱自在に構成された洗浄キャップと、前記流体が注入される注入口、前記注入口から注入された前記流体が流通する流路を複数の流路に分岐させる分岐部、及び、前記分岐部を経て前記複数の流路に流通する前記流体を前記洗浄キャップにおいて排出するための複数の排出口を備えた一つのまたは複数の流体供給用管路と、を有し、前記複数の排出口は、前記洗浄キャップが前記挿入機器の先端部に対して装着された際に、前記流体の排出方向が互いにねじれの位置になるような位置関係を有する状態で配置される。【０００７】
本発明の一態様の挿入機器用洗浄具は、細長な挿入機器の先端部を洗浄用の流体により洗浄する際に用いられる挿入機器用洗浄具であって、前記流体が注入される第１の注入口、前記第１の注入口から注入された前記流体が流通する流路を二つに分岐させる第１の分岐部、並びに、前記第１の分岐部を経た前記流体を排出するための第１の排出口及び第２の排出口を有する第１の流体供給用管路と、前記流体が注入される第２の注入口、前記第２の注入口から注入された前記流体が流通する流路を二つに分岐させる第２の分岐部、並びに、前記第２の分岐部を経た前記流体を排出するための第３の排出口及び第４の排出口を有する第２の流体供給用管路と、前記挿入機器の先端部に対して着脱自在であるとともに、前記第１の排出口及び前記第４の排出口を設けて構成された第１のキャップ部品と、前記挿入機器の先端部に対して着脱自在であるとともに、前記第２の排出口及び前記第３の排出口を設けて構成された第２のキャップ部品と、を有する。
【図面の簡単な説明】
【０００８】
【図１】実施形態に係る内視鏡用洗浄具及び当該内視鏡用洗浄具を用いて洗浄される内視鏡の外観構成を示す図。
【図２Ａ】内視鏡の先端部の構成の一例を説明するための図。
【図２Ｂ】内視鏡の先端部の構成の一例を説明するための図。
【図３】実施形態に係る内視鏡用洗浄具のキャップ部品の構成の具体例を説明するための図。
【図４】実施形態に係る内視鏡用洗浄具の洗浄キャップを内視鏡の先端構成部に装着する途中の状態を示す図。
【図５Ａ】実施形態に係る内視鏡用洗浄具の洗浄キャップを側方から見た場合の断面図。
【図５Ｂ】実施形態に係る内視鏡用洗浄具の洗浄キャップを上方から見た場合の断面図。
【図６】実施形態に係る内視鏡用洗浄具の洗浄キャップを内視鏡の先端部に装着した状態を示す図。
【図７】実施形態に係る内視鏡用洗浄具の洗浄キャップに設けられた排出口を経て排出される流体の排出方向を説明するための図。
【図８】実施形態に係る内視鏡用洗浄具のキャップ部品の構成を説明するための図。
【発明を実施するための最良の形態】
【０００９】
以下、本発明の実施形態について、図面を参照しつつ説明を行なう。【００１０】
図１から図８は、本発明の実施形態に係るものである。【００１１】
内視鏡１は、被検体の内部に挿入可能な細長な挿入機器として構成されている。また、内視鏡１は、図１に示すように、被検体内に挿入可能な細長形状に形成された挿入部２と、挿入部２の基端側に設けられた操作部３と、操作部３から延出するユニバーサルケーブル４と、を有して構成されている。また、内視鏡１は、例えば、十二指腸内視鏡のような、挿入部２の長手軸に対して交差する方向に視野を有する側視型内視鏡として構成されている。図１は、実施形態に係る内視鏡用洗浄具及び当該内視鏡用洗浄具を用いて洗浄される内視鏡の外観構成を示す図である。【００１２】
操作部３には、湾曲操作装置１１と、送気送水釦１２と、吸引釦１３と、起上台操作レバー１４と、操作スイッチ１５と、が設けられている。【００１３】
操作スイッチ１５には、例えば、内視鏡１により被写体を撮像して得られた内視鏡画像の表示状態を動画像または静止画像のいずれかに切り替える指示を行なうためのフリーズスイッチ、当該内視鏡画像を静止画像として記録させる指示を行なうためのレリーズスイッチ、及び、内視鏡１により当該被写体を観察する際の観察モードを切り替える指示を行なうための観察モード切替スイッチ等が設けられている。【００１４】
操作部３には、細長な処置具等の医療用デバイス（不図示）を被検体内に導入するための処置具挿入口１６が設けられている。処置具挿入口１６には、処置具チャンネルチューブ１７の一端が接続されている。処置具チャンネルチューブ１７の他端は、挿入部２の先端部５を構成する先端構成部２０（後述）に接続されている。【００１５】
挿入部２は、先端部５と、湾曲自在に形成された湾曲部６と、可撓性を有する長尺な可撓管部７と、を先端側から順に設けて構成されている。【００１６】
可撓管部７は、例えば、螺旋管と、当該螺旋管を被覆する網状管と、最外層を構成する熱収縮チューブと、を有して構成されている。【００１７】
湾曲部６は、例えば、上下左右の４方向に湾曲するように構成された湾曲駒組と、当該湾曲駒組を被覆する金属製の網状管と、外皮である湾曲ゴムと、を有して構成されている。また、湾曲部６は、操作部３に設けられた湾曲操作装置１１の上下湾曲ノブ１１ａの回動操作に応じ、上方向または下方向に湾曲するように構成されている。また、湾曲部６は、操作部３に設けられた湾曲操作装置１１の左右湾曲ノブ１１ｂの回動操作に応じ、左方向または右方向に湾曲するように構成されている。【００１８】
先端部５は、図２Ａ及び図２Ｂに示すように、先端構成部２０と、樹脂等の絶縁性部材により形成されているとともに先端構成部２０に対して着脱自在に形成された先端カバー（以下、カバーと略記する）３０と、を有して構成されている。図２Ａ及び図２Ｂは、内視鏡の先端部の構成の一例を説明するための図である。【００１９】
先端構成部２０は、樹脂等の絶縁性部材により形成された先端部本体２１と、金属等の硬質部材により形成された光学用凸部２２及び起上用凸部２３と、を有して構成されている。【００２０】
光学用凸部２２及び起上用凸部２３は、先端部本体２１から挿入部２の長手軸ＬＡ（図２Ａ及び図２Ｂ参照）に沿って先端側へ突出して設けられている。また、光学用凸部２２と起上用凸部２３との間の隙間には、金属等の硬質部材により形成された起上台４０を回動自在に収容するための起上台収容空間２４が設けられている。また、先端部本体２１における起上台４０の近傍には、処置具チャンネルチューブ１７の内部に挿通された医療用デバイスの先端部を突出させるための処置具突出口４０Ａが設けられている。また、起上台４０の表面には、処置具突出口４０Ａから突出される医療用デバイスの先端部の突出方向を所定の方向に誘導するための誘導面が形成されている。【００２１】
光学用凸部２２の一面である上面２５には、照明光を被写体に照射するための照明レンズ４１と、当該照明光の照射に応じて当該被写体から発せられる戻り光を受光するための観察レンズ４２と、が設けられている。また、光学用凸部２２には、送気送水釦１２の操作に応じて内視鏡１に供給される流体を先端構成部２０の先端側へ噴出するように形成された洗浄ノズル４３が設けられている。すなわち、照明レンズ４１及び観察レンズ４２の表面に付着した汚れは、洗浄ノズル４３から噴出される流体によって除去される。【００２２】
起上用凸部２３には、例えば、起上台操作レバー１４の操作に応じて牽引される起上台操作ワイヤ（不図示）と、当該起上台操作ワイヤの牽引状態に応じ、起上台収容空間２４に配置された起上台４０を回動して起上させることができるように形成された起上台動作機構（不図示）と、が設けられている。【００２３】
内視鏡用洗浄具５１は、細長な挿入機器の先端部を洗浄液により洗浄する際に用いられる挿入機器用洗浄具として構成されている。また、内視鏡用洗浄具５１は、図１に示すように、流体注入部５２Ａ，５２Ｂと、管路部５３Ａ，５３Ｂと、先端部５の先端構成部２０に対して着脱自在に構成された洗浄キャップ５４と、を有して構成されている。また、洗浄キャップ５４は、先端部５の先端構成部２０を収容可能な内部空間を形成するキャップ部品５４Ａ，５４Ｂを有して構成されている。【００２４】
流体注入部５２Ａには、先端部５の先端構成部２０を洗浄するための洗浄用の流体（以降、洗浄液とも称する）が注入される開口である注入口６２Ａが形成されている。また、流体注入部５２Ａには、注入口６２Ａから注入された洗浄液が流通する流路を二つに分岐させる分岐部６３Ａが設けられている。【００２５】
管路部５３Ａには、分岐部６３Ａを経た洗浄液を流通させるための流路を形成する二つのチューブ６４Ａ，６５Ａが設けられている。【００２６】
チューブ６４Ａの一端は、分岐部６３Ａに接続されている。また、チューブ６４Ａの他端は、キャップ部品５４Ａに接続されている。すなわち、チューブ６４Ａは、分岐部６３Ａを経て流れ込む洗浄液をキャップ部品５４Ａへ流通させるための流路を有する管路として形成されている。【００２７】
チューブ６５Ａの一端は、分岐部６３Ａに接続されている。また、チューブ６５Ａの他端は、キャップ部品５４Ｂに接続されている。すなわち、チューブ６５Ａは、分岐部６３Ａを経て流れ込む洗浄液をキャップ部品５４Ｂへ流通させるための流路を有する管路として形成されている。【００２８】
キャップ部品５４Ａは、チューブ６４Ａを経て流れ込む洗浄液と、チューブ６５Ｂを経て流れ込む洗浄液と、をそれぞれ異なる開口から排出するように構成されている。【００２９】
流体注入部５２Ｂには、先端部５の先端構成部２０を洗浄するための洗浄液が注入される開口である注入口６２Ｂが形成されている。また、流体注入部５２Ｂには、注入口６２Ｂから注入された洗浄液が流通する流路を二つに分岐させる分岐部６３Ｂが設けられている。【００３０】
管路部５３Ｂには、分岐部６３Ｂを経た洗浄液を流通させるための流路を形成する二つのチューブ６４Ｂ，６５Ｂが設けられている。【００３１】
チューブ６４Ｂの一端は、分岐部６３Ｂに接続されている。また、チューブ６４Ｂの他端は、キャップ部品５４Ｂに接続されている。すなわち、チューブ６４Ｂは、分岐部６３Ｂを経て流れ込む洗浄液をキャップ部品５４Ｂへ流通させるための流路を有する管路として形成されている。【００３２】
チューブ６５Ｂの一端は、分岐部６３Ｂに接続されている。また、チューブ６５Ｂの他端は、キャップ部品５４Ａに接続されている。すなわち、チューブ６５Ｂは、分岐部６３Ｂを経て流れ込む洗浄液をキャップ部品５４Ａへ流通させるための流路を有する管路として形成されている。【００３３】
キャップ部品５４Ｂは、チューブ６５Ａを経て流れ込む洗浄液と、チューブ６４Ｂを経て流れ込む洗浄液と、をそれぞれ異なる開口から排出するように構成されている。【００３４】
ここで、洗浄キャップ５４を形成するキャップ部品５４Ａ，５４Ｂの構造の具体例について、図３等を参照しつつ説明する。なお、図３においては、図示の便宜上、先端構成部２０の細部に係る構造を省略しているものとする。図３は、実施形態に係る内視鏡用洗浄具のキャップ部品の構成の具体例を説明するための図である。【００３５】
キャップ部品５４Ａは、先端構成部２０に対して着脱自在であるとともに、後述の排出口８３Ｒ，８３Ｄを設けて構成されている。また、キャップ部品５４Ａは、例えば、略半円筒形状を具備し、先端構成部２０の下半分（照明レンズ４１及び観察レンズ４２を含まない部分）を略覆うことができるように構成されている。【００３６】
キャップ部品５４Ｂは、先端構成部２０に対して着脱自在であるとともに、後述の排出口８３Ｌ，８３Ｕを設けて構成されている。また、キャップ部品５４Ｂは、例えば、略半円筒形状を具備し、先端構成部２０の上半分（照明レンズ４１及び観察レンズ４２を含む部分）を略覆うことができるように構成されている。【００３７】
キャップ部品５４Ａ，５４Ｂは、図３に示すように、ヒンジ機構７１により回動自在に連結されている。【００３８】
ヒンジ機構７１は、キャップ部品５４Ａに形成されたヒンジ接続部７１Ａと、キャップ部品５４Ｂに形成されたヒンジ接続部７１Ｂと、ヒンジ接続部７１Ａ，７１Ｂを回動させる際の回動軸に相当するヒンジ軸（不図示）と、を有して構成されている。【００３９】
キャップ部品５４Ａにおけるヒンジ接続部７１Ａの反対側には、図３に示すように、内視鏡用洗浄具５１を使用して洗浄作業を行なう作業者が指で摘むことが可能な形状を有する摘み部７２Ａが形成されている。また、摘み部７２Ａの近傍には、係合爪部７３Ａが形成されている。【００４０】
キャップ部品５４Ｂにおけるヒンジ接続部７１Ｂの反対側には、図３に示すように、内視鏡用洗浄具５１を使用して洗浄作業を行なう作業者が指で摘むことが可能な形状を有する摘み部７２Ｂが形成されている。また、摘み部７２Ｂに隣接する位置には、係合爪部７３Ａに対して係合可能な形状を有する係合溝部７３Ｂが形成されている。【００４１】
キャップ部品５４Ａ，５４Ｂは、係合爪部７３Ａと係合溝部７３Ｂとが係合している状態において、先端構成部２０を収容可能な内部空間を有するとともに、当該内部空間の所定の位置に先端構成部２０を固定しつつ配置することが可能な洗浄キャップ５４を形成するように構成されている。すなわち、キャップ部品５４Ａ，５４Ｂは、係合爪部７３Ａと係合溝部７３Ｂとが係合している状態において、先端構成部２０を収容可能な内部空間を形成するように構成されている。【００４２】
キャップ部品５４Ａには、チューブ６４Ａの他端を差し込んで接続することができるように形成されたチューブ接続用管路８１Ｒと、チューブ６５Ｂの他端を差し込んで接続することができるように形成されたチューブ接続用管路８１Ｄと、がそれぞれ設けられている。【００４３】
チューブ接続用管路８１Ｒには、チューブ６４Ａの他端に到達した洗浄液が流入する開口である流入口８２Ｒと、流入口８２Ｒから流入した洗浄液をチューブ６４Ａの他端に近接する所定の位置から排出するための開口である排出口８３Ｒと、が形成されている。また、チューブ接続用管路８１Ｒには、排出口８３Ｒから排出される洗浄液の排出方向を、流入口８２Ｒから流入する洗浄液の流通方向に対して直交する方向に設定するための流路が形成されている。そして、このような構成によれば、流入口８２Ｒを経てチューブ接続用管路８１Ｒの内部に流入した洗浄液を、ヒンジ接続部７１Ａ側に設けられた排出口８３Ｒから摘み部７２Ａ側へ排出することができる。【００４４】
チューブ接続用管路８１Ｄには、チューブ６５Ｂの他端に到達した洗浄液が流入する開口である流入口８２Ｄと、流入口８２Ｄから流入した洗浄液をチューブ６４Ａの他端から離れたキャップ部品５４Ａの内壁の所定の位置から排出するための開口である排出口８３Ｄと、が形成されている。また、チューブ接続用管路８１Ｄには、排出口８３Ｄから排出される洗浄液の排出方向を、流入口８２Ｄから流入する洗浄液の流通方向に対して直交する方向であるとともに、排出口８３Ｒから排出される洗浄液の排出方向に対してねじれの位置になる方向に設定するための流路が形成されている。【００４５】
キャップ部品５４Ｂには、チューブ６４Ｂの他端を差し込んで接続することができるように形成されたチューブ接続用管路８１Ｌと、チューブ６５Ａの他端を差し込んで接続することができるように形成されたチューブ接続用管路８１Ｕと、がそれぞれ設けられている。【００４６】
チューブ接続用管路８１Ｌには、チューブ６４Ｂの他端に到達した洗浄液が流入する開口である流入口８２Ｌと、流入口８２Ｌから流入した洗浄液をチューブ６４Ｂの他端に近接する所定の位置から排出するための開口である排出口８３Ｌと、が形成されている。また、チューブ接続用管路８１Ｌには、排出口８３Ｌから排出される洗浄液の排出方向を、流入口８２Ｌから流入する洗浄液の流通方向に対して直交する方向に設定するための流路が形成されている。そして、このような構成によれば、流入口８２Ｌを経てチューブ接続用管路８１Ｌの内部に流入した洗浄液を、摘み部７２Ｂ側に設けられた排出口８３Ｌからヒンジ接続部７１Ｂ側へ排出することができる。【００４７】
チューブ接続用管路８１Ｕには、チューブ６５Ａの他端に到達した洗浄液が流入する開口である流入口８２Ｕと、流入口８２Ｕから流入した洗浄液をチューブ６４Ａの他端から離れたキャップ部品５４Ｂの内壁の所定の位置から排出するための開口である排出口８３Ｕと、が形成されている。また、チューブ接続用管路８１Ｕには、排出口８３Ｕから排出される洗浄液の排出方向を、流入口８２Ｕから流入する洗浄液の流通方向に対して直交する方向であるとともに、排出口８３Ｌから排出される洗浄液の排出方向に対してねじれの位置になる方向に設定するための流路が形成されている。【００４８】
以上に述べたように、内視鏡用洗浄具５１は、注入口６２Ａと、注入口６２Ａから注入された流体（洗浄液）が流通する流路をチューブ６４Ａ，６５Ａの各々に連通する二つの流路に分岐させる分岐部６３Ａと、分岐部６３Ａを経て当該二つの流路に流通する当該流体を洗浄キャップ５４において排出するための排出口８３Ｒ，８３Ｕと、を備えた流体供給用管路ＰＡ（図示省略）を有して構成されている。また、以上に述べたように、内視鏡用洗浄具５１は、注入口６２Ｂと、注入口６２Ｂから注入された流体（洗浄液）が流通する流路をチューブ６４Ｂ，６５Ｂの各々に連通する二つの流路に分岐させる分岐部６３Ｂと、分岐部６３Ｂを経て当該二つの流路に流通する当該流体を洗浄キャップ５４において排出するための排出口８３Ｌ，８３Ｄと、を備えた流体供給用管路ＰＢ（図示省略）を有して構成されている。すなわち、内視鏡用洗浄具５１の流体供給用管路ＰＡは、流体注入部５２Ａと、管路部５３Ａのチューブ６４Ａ，６５Ａと、キャップ部品５４Ａのチューブ接続用管路８１Ｒと、キャップ部品５４Ｂのチューブ接続用管路８１Ｕと、により構成されている。また、内視鏡用洗浄具５１の流体供給用管路ＰＢは、流体注入部５２Ｂと、管路部５３Ｂのチューブ６４Ｂ，６５Ｂと、キャップ部品５４Ａのチューブ接続用管路８１Ｄと、キャップ部品５４Ｂのチューブ接続用管路８１Ｌと、により構成されている。【００４９】
本実施形態の内視鏡用洗浄具５１によれば、流体供給用管路ＰＡにおける排出口８３Ｒがキャップ部品５４Ａに設けられているとともに、流体供給用管路ＰＡにおける排出口８３Ｕがキャップ部品５４Ｂに設けられている。また、本実施形態の内視鏡用洗浄具５１によれば、流体供給用管路ＰＢにおける排出口８３Ｌがキャップ部品５４Ｂに設けられているとともに、流体供給用管路ＰＢにおける排出口８３Ｕがキャップ部品５４Ａに設けられている。すなわち、本実施形態の内視鏡用洗浄具５１によれば、一つの流体供給用管路における二つの排出口が、キャップ部品５４Ａ，５４Ｂに一つずつ設けられている。【００５０】
本実施形態の内視鏡用洗浄具５１においては、流体供給用管路ＰＡを構成する流体注入部５２Ａと、流体供給用管路ＰＢを構成する流体注入部５２Ｂと、が同じ形状の部品である共通部品により構成されている。また、本実施形態の内視鏡用洗浄具５１においては、流体供給用管路ＰＡを構成する管路部５３Ａと、流体供給用管路ＰＢを構成する管路部５３Ｂと、が同じ形状の部品である共通部品により構成されている。すなわち、本実施形態の内視鏡用洗浄具５１においては、流体供給用管路ＰＡ，ＰＢの各々における少なくとも一部が共通部品により構成されている。【００５１】
続いて、内視鏡用洗浄具５１を用いて先端部５（先端構成部２０）を洗浄する際に行なわれる洗浄作業の具体例について説明する。【００５２】
作業者は、使用済の内視鏡１の先端部５に装着されているカバー３０を取り外すことにより先端構成部２０を露出させた後、例えば、挿入部２を長手軸ＬＡの軸周りに回転することにより、所定の向きに向けた状態の先端構成部２０をキャップ部品５４Ａ，５４Ｂのうちの一方のキャップ部品（例えばキャップ部品５４Ａ）に配置する。【００５３】
具体的には、作業者は、例えば、光学用凸部２２の上面２５を排出口８３Ｕ側に向け、かつ、起上用凸部２３の側面を排出口８３Ｌ側に向けた状態の先端構成部２０をキャップ部品５４Ｂに配置する。そして、このような作業者の操作によれば、先端構成部２０が、キャップ部品５４Ｂにおいて、例えば、図４に示すような状態で配置される。図４は、実施形態に係る内視鏡用洗浄具の洗浄キャップを内視鏡の先端構成部に装着する途中の状態を示す図である。【００５４】
作業者は、所定の向きに向けた状態の先端構成部２０を前記一方のキャップ部品（例えばキャップ部品５４Ａ）に配置した後、係合爪部７３Ａと係合溝部７３Ｂとを係合させるための操作として、例えば、キャップ部品５４Ａ，５４Ｂのうちの他方のキャップ部品（例えばキャップ部品５４Ｂ）に設けられた摘み部を指で摘んでヒンジ接続部を回動させるような操作を行なう。【００５５】
具体的には、作業者は、例えば、前述のような向きに向けた状態の先端構成部２０をキャップ部品５４Ｂに配置した後、キャップ部品５４Ａに設けられた摘み部７２Ａを指で摘んでヒンジ接続部７１Ａを回動させるような操作を行なうことにより、係合爪部７３Ａと係合溝部７３Ｂとを係合させる。そして、このような作業者の操作によれば、光学用凸部２２の上面２５とは反対側の面である下面２６（図４参照）が排出口８３Ｄ側に向けられるとともに、光学用凸部２２の側面が排出口８３Ｒ側に向けられる。【００５６】
すなわち、以上に述べたような作業者の操作によれば、先端構成部２０が、キャップ部品５４Ａ，５４Ｂにより形成された洗浄キャップ５４の内部空間において、図５Ａ及び図５Ｂに示すような状態で配置される。なお、図５Ａ及び５Ｂにおいては、図示の便宜上、先端構成部２０の細部に係る構造を省略しているものとする。図５Ａは、実施形態に係る内視鏡用洗浄具の洗浄キャップを側方から見た場合の断面図である。図５Ｂは、実施形態に係る内視鏡用洗浄具の洗浄キャップを上方から見た場合の断面図である。【００５７】
作業者は、以上に述べたような操作を行なうことにより、洗浄キャップ５４を先端構成部２０に対して図６に示す状態になるように装着した後、例えば、シリンジ等の器具を用いて注入口６２Ａ，６２Ｂから洗浄液を注入するための操作を行なう。図６は、実施形態に係る内視鏡用洗浄具の洗浄キャップを内視鏡の先端部に装着した状態を示す図である。【００５８】
すなわち、排出口８３Ｒ，８３Ｕは、洗浄キャップ５４（キャップ部品５４Ａ，５４Ｂ）が先端構成部２０に対して装着された際に、挿入部２の長手軸ＬＡ周りに配置されるとともに、流体（洗浄液）の排出方向が互いにねじれの位置になるような位置関係を有する状態で配置される。また、排出口８３Ｌ，８３Ｄは、洗浄キャップ５４（キャップ部品５４Ａ，５４Ｂ）が先端構成部２０に対して装着された際に、挿入部２の長手軸ＬＡ周りに配置されるとともに、流体（洗浄液）の排出方向が互いにねじれの位置になるような位置関係を有する状態で配置される。また、排出口８３Ｒ，８３Ｌは、洗浄キャップ５４（キャップ部品５４Ａ，５４Ｂ）が先端構成部２０に対して装着された際に、流体（洗浄液）の排出方向が互いに平行になるようなまたは同軸上に位置するような位置関係を有する状態で配置される。また、排出口８３Ｕ，８３Ｄは、洗浄キャップ５４（キャップ部品５４Ａ，５４Ｂ）が先端構成部２０に対して装着された際に、流体（洗浄液）の排出方向が互いに平行になるようなまたは同軸上に位置するような位置関係を有する状態で配置される。【００５９】
注入口６２Ａから注入された洗浄液は、分岐部６３Ａを経た後、チューブ６４Ａ，６５Ａの二つの流路に流通するとともに、排出口８３Ｒ，８３Ｕの二つの開口から同時に排出される。そして、排出口８３Ｒを経た洗浄液は、図７の矢印ＥＲに示すような排出方向に排出されるとともに、光学用凸部２２の側面を含む先端構成部２０の右面側に付着した汚れを除去する。また、排出口８３Ｕを経た洗浄液は、図７の矢印ＥＵに示すような排出方向に排出されるとともに、起上台４０の誘導面を含む先端構成部２０の上面側に付着した汚れを除去する。図７は、実施形態に係る内視鏡用洗浄具の洗浄キャップに設けられた排出口を経て排出される流体の排出方向を説明するための図である。【００６０】
注入口６２Ｂから注入された洗浄液は、分岐部６３Ｂを経た後、チューブ６４Ｂ，６５Ｂの二つの流路に流通するとともに、排出口８３Ｌ，８３Ｄの二つの開口から同時に排出される。そして、排出口８３Ｌを経た洗浄液は、図７の矢印ＥＬに示すような排出方向に排出されるとともに、起上用凸部２３の側面を含む先端構成部２０の左面側に付着した汚れを除去する。また、排出口８３Ｄを経た洗浄液は、図７の矢印ＥＤに示すような排出方向に排出されるとともに、起上台４０の誘導面の裏側を含む先端構成部２０の下面側に付着した汚れを除去する。【００６１】
以上に述べたように、本実施形態によれば、排出口８３Ｒを経た洗浄液と、排出口８３Ｕを経た洗浄液と、が、キャップ部品５４Ａ，５４Ｂにより形成された洗浄キャップ５４の内部空間において、互いにねじれの位置になるような位置関係を有する排出方向にそれぞれ排出される。また、以上に述べたように、本実施形態によれば、洗浄液を注入口６２Ａから注入した際に、洗浄キャップ５４の内部空間に配置された先端構成部２０の上面側及び右面側を同時に洗浄することができる。そのため、本実施形態によれば、排出口８３Ｒを経た洗浄液と、排出口８３Ｕを経た洗浄液と、を互いに干渉させずに先端構成部２０の所定の二つの位置に対して同時に当てることができ、その結果、先端構成部２０を効率的に洗浄することができる。【００６２】
また、本実施形態によれば、例えば、作業者が、洗浄キャップ５４を先端構成部２０に対して装着する前に、注入口６２Ａから水を注入することにより、チューブ６４Ａを経てキャップ部品５４Ａの排出口８３Ｒに至る流路と、チューブ６５Ａを経てキャップ部品５４Ｂの排出口８３Ｕに至る流路と、の二つの流路における詰まり状態を個別に確認することができる。そのため、本実施形態によれば、注入口６２Ａから注入した洗浄液が流通する二つの流路における詰まりを確実に除去することができ、その結果、先端構成部２０を効率的に洗浄することができる。【００６３】
以上に述べたように、本実施形態によれば、排出口８３Ｌを経た洗浄液と、排出口８３Ｄを経た洗浄液と、が、キャップ部品５４Ａ，５４Ｂにより形成された洗浄キャップ５４の内部空間において、互いにねじれの位置になるような位置関係を有する排出方向にそれぞれ排出される。また、以上に述べたように、本実施形態によれば、洗浄液を注入口６２Ｂから注入した際に、洗浄キャップ５４の内部空間に配置された先端構成部２０の下面側及び左面側を同時に洗浄することができる。そのため、本実施形態によれば、排出口８３Ｌを経た洗浄液と、排出口８３Ｄを経た洗浄液と、を互いに干渉させずに先端構成部２０の所定の二つの位置に対して同時に当てることができ、その結果、先端構成部２０を効率的に洗浄することができる。【００６４】
また、本実施形態によれば、例えば、作業者が、洗浄キャップ５４を先端構成部２０に対して装着する前に、注入口６２Ｂから水を注入することにより、チューブ６４Ｂを経てキャップ部品５４Ｂの排出口８３Ｌに至る流路と、チューブ６５Ｂを経てキャップ部品５４Ａの排出口８３Ｄに至る流路と、の二つの流路における詰まり状態を個別に確認することができる。そのため、本実施形態によれば、注入口６２Ｂから注入した洗浄液が流通する二つの流路における詰まりを確実に除去することができ、その結果、先端構成部２０を効率的に洗浄することができる。【００６５】
ところで、本実施形態においては、例えば、図８に示すように、チューブ接続用管路８１Ｕを通過した洗浄液の排出方向を、内壁部９１Ｕに沿う方向と、内壁部９２Ｕに沿う方向と、の互いに平行な二つの方向に分岐させるための段差を排出口８３Ｕの内壁の一部に設けている。そして、このような構成によれば、例えば、排出口８３Ｕから排出される洗浄液により重点的に洗浄される（先端構成部２０の上面側の）領域を拡張することができる。また、前述のような構成によれば、例えば、チューブ接続用管路８１Ｕを通過した洗浄液の排出方向が二つの方向に分岐されているか否かを容易に視認することができるため、排出口８３Ｕの点検に係る作業における負担を軽減することができる。図８は、実施形態に係る内視鏡用洗浄具のキャップ部品の構成を説明するための図である。【００６６】
なお、本実施形態によれば、例えば、流体供給用管路ＰＡにおいて、分岐部６３Ａから排出口８３Ｒに至る流路と、分岐部６３Ａから排出口８３Ｕに至る流路と、が略同等の容積を有するように形成されていてもよい。そして、このような構成によれば、注入口６２Ａから洗浄液を注入した際に、先端構成部２０の上面側に当たる洗浄液の量と、先端構成部２０の右面側に当たる洗浄液の量と、を略同じにすることができ、その結果、先端構成部２０を更に効率的に洗浄することができる。【００６７】
また、本実施形態によれば、例えば、流体供給用管路ＰＢにおいて、分岐部６３Ｂから排出口８３Ｌに至る流路と、分岐部６３Ｂから排出口８３Ｄに至る流路と、が略同等の容積を有するように形成されていてもよい。そして、このような構成によれば、注入口６２Ｂから洗浄液を注入した際に、先端構成部２０の下面側に当たる洗浄液の量と、先端構成部２０の左面側に当たる洗浄液の量と、を略同じにすることができ、その結果、先端構成部２０を更に効率的に洗浄することができる。【００６８】
また、本実施形態によれば、例えば、注入口６２Ａ，６２Ｂが、ルアーロック形状を有するシリンジを接続可能な形状に形成されていてもよい。そして、このような構成によれば、例えば、注入口６２Ａに接続したシリンジと、注入口６２Ｂに接続したシリンジと、をそれぞれ固定した状態で洗浄液を注入することができ、その結果、洗浄液の注入に係る作業における作業効率を向上させることができる。【００６９】
また、本実施形態によれば、流体注入部５２Ａ，５２Ｂが、別体の部品として構成されているものに限らず、一体の部品として構成されていてもよい。そして、このような構成によれば、例えば、注入口６２Ａ，６２Ｂを互いに近づけた状態で洗浄液を注入することができ、その結果、洗浄液の注入に係る作業における作業効率を向上させることができる。【００７０】
また、本実施形態の内視鏡用洗浄具５１は、一つの注入口から注入した洗浄液が二つの排出口から排出されるように構成されているものに限らず、例えば、当該一つの注入口から注入した洗浄液が三つ以上の排出口から排出されるように構成されていてもよい。すなわち、本実施形態の内視鏡用洗浄具５１の流体供給用管路は、先端構成部２０を洗浄するための洗浄用の流体（洗浄液）が注入される注入口と、当該注入口から注入された当該流体が流通する流路を複数の流路に分岐させる分岐部と、当該分岐部を経て当該複数の流路に流通する当該流体を洗浄キャップ５４において排出するための複数の排出口と、を有して構成されていればよい。また、本実施形態の内視鏡用洗浄具５１は、一つの流体供給用管路を有して構成されていてもよく、または、複数の流体供給用管路を有して構成されていてもよい。【００７１】
また、本実施形態の内視鏡用洗浄具５１の構成を適宜変形することにより、例えば、被検体の内部に挿入可能な細長な挿入機器として構成された処置具等の医療用デバイスの先端部を洗浄することができるようにしてもよい。【００７２】
また、本実施形態の内視鏡用洗浄具５１の構成を適宜変形することにより、キャップ部品５４Ａ，５４Ｂが先端構成部２０に対して装着された際に、流体供給用管路における二つの排出口から排出される流体（洗浄液）の排出方向が互いに交差するような位置関係を有するようにしてもよい。具体的には、キャップ部品５４Ａ，５４Ｂが先端構成部２０に対して装着された際に、流体（洗浄液）の排出方向が互いに交差するような位置関係を有する状態で（流体供給用管路ＰＡの）排出口８３Ｒ，８３Ｕが配置されるようにしてもよい。また、キャップ部品５４Ａ，５４Ｂが先端構成部２０に対して装着された際に、流体（洗浄液）の排出方向が互いに交差するような位置関係を有する状態で（流体供給用管路ＰＢの）排出口８３Ｌ，８３Ｄが配置されるようにしてもよい。【００７３】
本発明は、上述した実施形態に限定されるものではなく、発明の趣旨を逸脱しない範囲内において種々の変更や応用が可能であることは勿論である。【００７４】
本出願は、２０１８年１月３１日に日本国に出願された特願２０１８−０１５０５５号を優先権主張の基礎として出願するものであり、上記の開示内容は、本願明細書、請求の範囲に引用されるものとする。
【図１】
2019150600.tif 000003
【図２Ａ】
2019150600.tif 000004
【図２Ｂ】
2019150600.tif 000005
【図３】
2019150600.tif 000006
【図４】
2019150600.tif 000007
【図５Ａ】
2019150600.tif 000008
【図５Ｂ】
2019150600.tif 000009
【図６】
2019150600.tif 000010
【図７】
2019150600.tif 000011
【図８】
2019150600.tif 000012
【手続補正書】
【提出日】令和2年5月13日(2020.5.13)
【手続補正１】
【補正対象書類名】明細書
【補正対象項目名】０００６
【補正方法】削除
【補正の内容】
【手続補正２】
【補正対象書類名】明細書
【補正対象項目名】０００７
【補正方法】変更
【補正の内容】
【０００７】
本発明の一態様の挿入機器用洗浄具は、細長な挿入機器の先端部を洗浄用の流体により洗浄する際に用いられる挿入機器用洗浄具であって、前記流体が注入される第１の注入口、前記第１の注入口から注入された前記流体が流通する流路を二つに分岐させる第１の分岐部、並びに、前記第１の分岐部を経た前記流体を排出するための第１の排出口及び第２の排出口を有する第１の流体供給用管路と、前記流体が注入される第２の注入口、前記第２の注入口から注入された前記流体が流通する流路を二つに分岐させる第２の分岐部、並びに、前記第２の分岐部を経た前記流体を排出するための第３の排出口及び第４の排出口を有する第２の流体供給用管路と、前記挿入機器の前記先端部に対して着脱自在であるとともに、前記第１の排出口及び前記第４の排出口を設けて構成された第１のキャップ部品と、前記挿入機器の前記先端部に対して着脱自在であるとともに、前記第２の排出口及び前記第３の排出口を設けて構成された第２のキャップ部品と、を有しており、前記第１の排出口及び前記第３の排出口は、前記第１のキャップ部品及び前記第２のキャップ部品が前記挿入機器の前記先端部に対して装着された際に、前記挿入機器の前記先端部における上下方向に沿って前記流体の排出方向が互いに平行になる位置または同軸になる位置に配置され、
前記第２の排出口及び前記第４の排出口は、前記第１のキャップ部品及び前記第２のキャップ部品が前記挿入機器の前記先端部に対して装着された際に、前記挿入機器の前記先端部における左右方向に沿って前記流体の排出方向が互いに平行になる位置または同軸になる位置に配置される。
【手続補正３】
【補正対象書類名】特許請求の範囲
【補正対象項目名】全文
【補正方法】変更
【補正の内容】
【特許請求の範囲】
【請求項１】
細長な挿入機器の先端部を洗浄用の流体により洗浄する際に用いられる挿入機器用洗浄具であって、
前記流体が注入される第１の注入口、前記第１の注入口から注入された前記流体が流通する流路を二つに分岐させる第１の分岐部、並びに、前記第１の分岐部を経た前記流体を排出するための第１の排出口及び第２の排出口を有する第１の流体供給用管路と、
前記流体が注入される第２の注入口、前記第２の注入口から注入された前記流体が流通する流路を二つに分岐させる第２の分岐部、並びに、前記第２の分岐部を経た前記流体を排出するための第３の排出口及び第４の排出口を有する第２の流体供給用管路と、
前記挿入機器の前記先端部に対して着脱自在であるとともに、前記第１の排出口及び前記第４の排出口を設けて構成された第１のキャップ部品と、
前記挿入機器の前記先端部に対して着脱自在であるとともに、前記第２の排出口及び前記第３の排出口を設けて構成された第２のキャップ部品と、
を有しており、
前記第１の排出口及び前記第３の排出口は、前記第１のキャップ部品及び前記第２のキャップ部品が前記挿入機器の前記先端部に対して装着された際に、前記挿入機器の前記先端部における上下方向に沿って前記流体の排出方向が互いに平行になる位置または同軸になる位置に配置され、
前記第２の排出口及び前記第４の排出口は、前記第１のキャップ部品及び前記第２のキャップ部品が前記挿入機器の前記先端部に対して装着された際に、前記挿入機器の前記先端部における左右方向に沿って前記流体の排出方向が互いに平行になる位置または同軸になる位置に配置されることを特徴とする挿入機器用洗浄具。
【請求項２】
前記第１の排出口及び前記第２の排出口は、前記第１のキャップ部品及び前記第２のキャップ部品が前記挿入機器の前記先端部に対して装着された際に、前記流体の排出方向が互いにねじれの関係となる位置または互いに交差する位置に配置されることを特徴とする請求項１に記載の挿入機器用洗浄具。
【請求項３】
前記第３の排出口及び前記第４の排出口は、前記第１のキャップ部品及び前記第２のキャップ部品が前記挿入機器の前記先端部に対して装着された際に、前記流体の排出方向が互いにねじれの関係となる位置または互いに交差する位置に配置されることを特徴とする請求項１に記載の挿入機器用洗浄具。
【請求項４】
前記第１のキャップ部品及び前記第２のキャップ部品は、前記挿入機器の前記先端部を収容可能な内部空間を形成するように構成されることを特徴とする請求項１に記載の挿入機器用洗浄具。
【請求項５】
前記第１のキャップ部品及び前記第２のキャップ部品が前記挿入機器の前記先端部に対して装着された際に、前記第１の排出口及び前記第３の排出口は、前記第２の排出口及び前記第４の排出口よりも前記挿入機器の長手方向に沿った先端側に位置することを特徴とする請求項１に記載の挿入機器用洗浄具。
【請求項６】
前記第１の流体供給用管路及び前記第２の流体供給用管路の各々における少なくとも一部が共通部品により構成されることを特徴とする請求項１に記載の挿入機器用洗浄具。
【請求項７】
前記第１の流体供給用管路において、前記第１の分岐部から前記第１の排出口に至る流路と、前記第１の分岐部から前記第２の排出口に至る流路と、が略同等の容積を有していることを特徴とする請求項１に記載の挿入機器用洗浄具。
【請求項８】
前記第２の流体供給用管路において、前記第２の分岐部から前記第３の排出口に至る流路と、前記第２の分岐部から前記第４の排出口に至る流路と、が略同等の容積を有していることを特徴とする請求項１に記載の挿入機器用洗浄具。
【請求項９】
前記第１のキャップ部品と前記第２のキャップ部品は、互いに着脱可能であることを特徴とする請求項１に記載の挿入機器用洗浄具。
【請求項１０】
前記第１の排出口〜前記第４の排出口は、前記第１のキャップ部品及び前記第２のキャップ部品が前記挿入機器の前記先端部に対して装着された際に、前記挿入機器の長手軸周りに配置されることを特徴とする請求項１に記載の挿入機器用洗浄具。
【国際調査報告】
2019150600.tif 000013
2019150600.tif 000014
2019150600.tif 000015
2019150600.tif 000016